(57)【要約】【課題】あらかじめ定められた時間、火炎を遮ることができる特定防火設備でありながら、板硝子を有し、意匠性の高い防火扉を提供する。【解決手段】板硝子１４は、該板硝子を囲む上下左右の框のうちの一の框と、該一の框と対になる止め部材１６とにより、扉本体１２に固定されており、止め部材１６は、扉本体１２の端部の端面において、扉本体１２に対して固定されているとともに、該側面に対して垂直方向に動作させられることにより、板硝子１４が扉本体１２の前後に動作しないように、扉本体１２の掛止部３０に掛止されている防火扉である。この構成により防火扉１０全体のデザインの制約がなくなり、意匠性が向上する。また、止め部材１６の形状を大きくできるので、框と止め部材１６とのひずみが同程度となり、板硝子１４が扉本体１２から脱落することを防止できる。【選択図】図１
2018066149.tif 000002
【特許請求の範囲】
【請求項１】
扉本体と、該扉本体に嵌めこまれた板硝子と、を含んで構成されている防火扉であって、
前記板硝子は、該板硝子を囲む上下左右の４つの框のうちの一の框と、該一の框と対になる止め部材とにより、前記扉本体に固定されており、
前記止め部材は、前記一の框の外側の端面において、前記扉本体に対して固定されているとともに、
前記止め部材は、該止め部材が固定されている前記端面に対して垂直方向に動作させられることにより、前記板硝子が前記扉本体の前後に動作しないように、前記扉本体の掛止部に掛止されている、
ことを特徴とする防火扉。
【請求項２】
前記一の框は、上框であり、
前記止め部材は、前記扉本体の上端の端面において、前記扉本体に対して固定されるとともに、
前記止め部材は、上方向に動作させられることにより、前記板硝子が前記扉本体の前後に動作しないように、前記扉本体の掛止部に掛止されている、
ことを特徴とする請求項１記載の防火扉。
【請求項３】
前記一の框は、上框であり、
前記止め部材は、前記扉本体の上端の端面において、前記扉本体に対して固定されるとともに、
前記止め部材は、下方向に動作させられることにより、前記板硝子が前記扉本体の前後に動作しないように、前記扉本体の掛止部に掛止されている、
ことを特徴とする請求項１記載の防火扉。
【請求項４】
前記一の框には、前記止め部材の結合片を通過させる通過孔が設けられており、
該結合片は、前記止め部材が固定されている端面でねじにより固定されている、
ことを特徴とする請求項１または請求項２記載の防火扉。
【請求項５】
前記止め部材には、前記扉本体の掛止部に掛止される引掛け片が設けられている、
ことを特徴とする請求項１から請求久４のいずれかに記載の防火扉。
【請求項６】
前記框は、折曲げられた框用鋼板により形成されるとともに、
前記掛止部は、前記框用鋼板を折り曲げることにより形成され、
前記止め部材は、折曲げられた止め部材用鋼板により形成されるとともに、
前記引掛け片は、前記止め部材用鋼板を折り曲げることにより形成されている、
ことを特徴とする請求項５記載の防火扉。
【発明の詳細な説明】
【技術分野】
【０００１】
本発明は、防火扉に関する。さらに詳しくは、耐火性の板硝子を有する防火扉に関する。
【背景技術】
【０００２】
一般的に防火扉と呼ばれている防火戸は、建築基準法の特定防火設備に該当し、「鉄製で鉄板の厚さが１．５ｍｍ以上」という要件が定められている（平１２年建告第１３６９号）。しかし、建物の中に用いられる防火扉は、近年では、特定防火設備としての機能を満たすだけでなく、人をひきつけるような意匠性の高さも併せて求められるようになっている。例えば、特許文献１には、硝子窓を設け、デザインのバリエーションを増やすことで、意匠性を向上させた防火扉が開示されている。
【０００３】
図１１には、特許文献１に示すような、板硝子が設けられている防火扉の従来構造を示す。図１１は、防火扉５０の側面断面図である。防火扉５０は、扉本体５２と、板硝子５４とを含んで構成されており、板硝子５４は、扉本体５２を構成する上框７０と下框７２との間に位置している。下框７２には、２つの堤形状部７２ａにより上向きに溝が設けられており、板硝子５４は、この溝の中でバックアップ材５８に挟まれて固定されている。上框７０には、下向きの溝が設けられているが、この下向きの溝は、上框７０に一体として設けられている堤形状部７０ａと、この堤形状部７０ａと平行に設けられている押縁５６とにより形成され、板硝子５４は、この溝の中でバックアップ材５８に挟まれて固定されている。そして押縁５６は、ねじ６６により上框７０の内面下側に固定されている。
【０００４】
しかるに、上記のような構成とした場合、押縁５６は、上框７０と比べて形状が小さくなり熱の影響を受けやすい。このため、火災時に火炎を受けると、押縁５６が上框７０よりも大きくひずみ、板硝子５４が外れる可能性があり、この場合、防火扉５０は、特定防火設備の要件を具備できないという問題がある。
また、上框７０と押縁５６とは、一体として構成することはできないため、扉のデザインに制約が生じ、意匠性を向上させにくいという問題がある。
さらに、押縁５６は、ねじ６６により上框７０の内面下側に固定されているため、ねじ６６によっても、そのデザインに制約が生じ、意匠性を向上させにくくなるとともに、押縁５６の取り外しを行った場合には、ねじ６６の頭部周辺の塗料が剥がれ、その部分のデザインの一体性を保持できず、この点でも意匠性を向上させにくいという問題がある。
【先行技術文献】
【特許文献】
【０００５】
【特許文献１】特開平６−２９９７６５号公報
【発明の概要】
【発明が解決しようとする課題】
【０００６】
本発明は上記事情に鑑み、耐火性の板硝子を有する、意匠性の高い防火扉を提供することを目的とする。
【課題を解決するための手段】
【０００７】
第１発明の防火扉は、扉本体と、該扉本体に嵌めこまれた板硝子と、を含んで構成されている防火扉であって、前記板硝子は、該板硝子を囲む上下左右の４つの框のうちの一の框と、該一の框と対になる止め部材とにより、前記扉本体に固定されており、前記止め部材は、前記一の框の外側の端面において、前記扉本体に対して固定されているとともに、前記止め部材は、該止め部材が固定されている前記端面に対して垂直方向に動作させられることにより、前記板硝子が前記扉本体の前後に動作しないように、前記扉本体の掛止部に掛止されていることを特徴とする。
第２発明の防火扉は、第１発明において、前記一の框は、上框であり、前記止め部材は、前記扉本体の上端の端面において、前記扉本体に対して固定されるとともに、前記止め部材は、上方向に動作させられることにより、前記板硝子が前記扉本体の前後に動作しないように、前記扉本体の掛止部に掛止されていることを特徴とする。
第３発明の防火扉は、第１発明において、前記一の框は、上框であり、前記止め部材は、前記扉本体の上端の端面において、前記扉本体に対して固定されるとともに、前記止め部材は、下方向に動作させられることにより、前記板硝子が前記扉本体の前後に動作しないように、前記扉本体の掛止部に掛止されていることを特徴とする。
第４発明の防火扉は、第１発明または第２発明において、前記一の框には、前記止め部材の結合片を通過させる通過孔が設けられており、該結合片は、前記止め部材が固定されている端面でねじにより固定されていることを特徴とする。
第５発明の防火扉は、第１発明から第４発明のいずれかにおいて、前記止め部材には、前記扉本体の掛止部に掛止される引掛け片が設けられていることを特徴とする。
第６発明の防火扉は、第５発明において、前記框は、折曲げられた框用鋼板により形成されるとともに、前記掛止部は、前記框用鋼板を折り曲げることにより形成され、前記止め部材は、折曲げられた止め部材用鋼板により形成されるとともに、前記引掛け片は、前記止め部材用鋼板を折り曲げることにより形成されていることを特徴とする。
【発明の効果】
【０００８】
第１発明によれば、止め部材が、扉本体の端面において、扉本体に対して固定されていることにより、扉本体の前後や、板硝子が位置する内面側に固定用のねじの頭部が露出することを防止でき、防火扉全体のデザインの制約がなくなり、意匠性が向上する。また、止め部材が、扉本体の上面などの外側の端面に対して垂直方向に動作させられ、扉本体の掛止部に掛止させられていることにより、ねじの固定が端面であっても、確実に板硝子を扉本体に固定することができる。また、止め部材の形状を大きくできるので、框と止め部材とのひずみが同程度となり、板硝子が扉本体から脱落することを防止できる。
第２発明によれば、板硝子を、上框で止め部材により固定することにより、ねじの固定箇所が防火扉の上端、すなわち防火扉の使用者が通常視認できない部分に位置するようになるため、ねじによる防火扉のデザインの制約がなくなり、この点で意匠性が向上する。また、下框で固定する場合は、ねじの固定箇所が防火扉の下端となり、同様に防火扉の使用者が通常視認できない部分に位置するようになるものの、床とのスキマが少なく、ねじを回す作業ができない。よって上框で止め部材により固定することにより、板硝子の固定、取り外し作業が容易になり、組立作業の負荷を低減できる。
第３発明によれば、板硝子を、上框で止め部材により固定することにより、ねじの固定箇所が防火扉の上端、すなわち防火扉の使用者が通常視認できない部分に位置するようになるため、ねじによる防火扉のデザインの制約がなくなり、この点で意匠性が向上する。また、下框で固定する場合は、ねじの固定箇所が防火扉の下端となり、同様に防火扉の使用者が通常視認できない部分に位置するようになるものの、床とのスキマが少なく、ねじを回す作業ができない。よって上框で止め部材により固定することにより、板硝子の固定、取り外し作業が容易になり、組立作業の負荷を低減できる。加えて、止め部材が、下方向に動作させられることにより扉本体の掛止部に掛止されているという構成であることから、止め部材と上框との結合片は、より少ない折り曲げ工程で製作できるシンプルな構成になるので、低コストでの生産が可能となる。
第４発明によれば、一の框には、止め部材の結合片を通過させる通過孔が設けられ、結合片は、止め部材が固定されている端面でねじにより固定されていることにより、結合片が框の中に収容され、框の端面に結合片が露出しないので、止め部材の取り外しのためねじを外したときでも、端面における扉本体部分の塗料が剥げることがない。
第５発明によれば、止め部材には、扉本体の掛止部に掛止される引掛け片が設けられていることにより、引掛け片で掛止するシンプルな構成で止め部材を固定することができ、止め部材の組立や取り外し作業が容易になる。
第６発明によれば、掛止部は框用鋼板を折り曲げることにより構成され、引掛け片は止め部材用鋼板を折り曲げることにより構成されていることにより、別途掛止部や引掛け片を組み付ける必要がなくなり、防火扉のコストを削減できる。
【図面の簡単な説明】
【０００９】
【図１】本発明の第１実施形態に係る防火扉の側面断面図である。
【図２】図１の防火扉の正面図である。
【図３】図１の防火扉の平面断面図である。
【図４】図１の防火扉の組立説明図である。
【図５】本発明の第２実施形態に係る防火扉の側面断面図である。
【図６】本発明の第３実施形態に係る防火扉の側面断面図である。
【図７】本発明の第４実施形態に係る防火扉の側面断面図である。
【図８】図７の防火扉の組立説明図である。
【図９】本発明の第５実施形態に係る防火扉の側面断面図である。
【図１０】本発明の第６実施形態に係る防火扉の組立説明図である。
【図１１】従来の防火扉の側面断面図である。
【発明を実施するための形態】
【００１０】
つぎに、本発明の実施形態を図面に基づき説明する。
図２には、本発明の第１実施形態に係る防火扉１０の正面図を、図１には、図２の防火扉１０の、Ｉ-Ｉ断面での側面図を、図３には図２の防火扉１０のIII−III断面での平面図を示す。また図４には、本実施形態に係る防火扉１０の組立説明図を示す。本実施形態に係る防火扉１０は、建築基準法で規定されている特定防火設備に該当し、通常の火災の火炎を受けても１時間以上火炎が貫通しない構造となっているほか、意匠性を高めるために硝子窓を設けたり、扉の框にデザインを施す際の制約を少なくできたりする構造となっている。本明細書では、図１から図３に示すように、前後左右上下と称する。なお、前後は防火扉１０の扉が引かれるほうが前側で、押される方が後側であり、この方向に合わすように人が位置したときの左右を、そのまま左右と称する。
【００１１】
図２に示すように、防火扉１０は、枠２０に図示しない蝶番等で開閉自在に固定されている。防火扉１０は、扉本体１２と、この扉本体１２に嵌めこまれた板硝子１４とを含んで構成されている。扉本体１２は、上下左右の框、すなわち上框４０、下框４２、右框４４、左框４６の４つの框より構成されており、これらの框は、あらかじめ定められた厚さの鋼板を折り曲げて製作されている。
【００１２】
板硝子１４は、図２で示すように、長方形であり、それぞれの辺が、扉本体１２を構成する上下左右の框により扉本体１２に対して硬く固定されている。板硝子１４は耐熱硝子であり、内部に金網や、金属線を入れたものが採用されることもある。これは火炎など熱が加えられたときに板硝子１４が脱落するのを防止するためである。
【００１３】
図１に示すように、下框４２には、堤形状部４２ａが２つ設けられ、これらの２つの堤形状部４２ａにより、板硝子１４が入り込む溝が形成されている。板硝子１４と、堤形状部４２ａとの間には、バックアップ材１８が設けられている。下框４２にある構成は、図３に示すように、右框４４、左框４６にも設けられており、それぞれの堤形状部４４ａ、４６ａにより形成されている溝に板硝子１４が入り込んでいる。
【００１４】
図１、図４に示すように、上框４０には、堤形状部４０ａが１つ設けられ、さらに、この堤形状部４０ａと対になることで溝を形成する止め部材１６が設けられている。堤形状部４０ａと止め部材１６とで形成する溝には、板硝子１４が入り込み、板硝子１４と堤形状部４０ａとの間、および板硝子と止め部材との間にはバックアップ材１８が設けられている。
【００１５】
図１、図４に示すように、上框４０は、１枚の框用鋼板を折り曲げ、略筒状にするように形成されている。また上框４０には、後述する止め部材１６の引掛け片２８が掛止される掛止部３０が設けられており、この掛止部３０は、框用鋼板を、さらに折り曲げることにより形成される。また、上框４０には、この長手方向に沿って２か所、四角形の通過孔２４が設けられている。この通過孔２４の左右方向の長さは、後述する止め部材１６の結合片２２が通過できる長さであり、上下方向の長さは、止め部材１６が上下方向に動作できる長さである。なお図では通過孔２４は、２か所としたが、これに限定されるものではなく、１か所、または３か所以上であっても問題ない。
【００１６】
図１、図４に示すように、止め部材１６は、１枚の止め部材用鋼板を折り曲げることにより形成されている。さらに、２か所の結合片２２も、この止め部材用鋼板を折り曲げることにより形成される。これらの結合片２２は、上框４０の上端の端面において、上框４０と結合される。また、図示していないが、結合片２２には、上框４０と結合するためのねじ穴がそれぞれ設けられている。また、引掛け片２８についても、止め部材用鋼板を折り曲げることにより形成される。引掛け片２８は、上框４０の掛止部３０に掛止されることで、バックアップ材１８を介して、板硝子１４を固定する。なお、結合片２２についても、通過孔２４と同様、２か所に限定されるものではなく、１か所または３か所以上であっても問題ない。
【００１７】
図１、図４により、上框４０に止め部材１６を結合し、板硝子１４を扉本体１２に固定する方法を説明する。なお、本実施形態に係る防火扉は、止め部材１６は、上框４０と対になるように設けられているが、特にこれに限定されず、下框４２や、右框４４、左框４６に設けることもできる。また、上框４０のみについて、止め部材１６を設ける構成であるが、複数の框に設けることもできる。ただし、４つの框のうち少なくとも１か所には止め部材１６を使用する必要がある。さらに本明細書で「外側の端面」とは、図２において上框４２であれば上端の上側を向いた面、下框４４であれば下端の下側を向いた面、右框４４であれば側端の右側を向いた面、左框４６であれば側端の左側を向いた面を言う。
【００１８】
止め部材１６を外した状態で、硝子板１４を下框４４、右框４４、左框４６の各溝に嵌めこみ、それぞれバックアップ材１８を挟みこむ。上框４０にも、堤形状部４０ａと板硝子１４との間にバックアップ材１８を挟み込む。この状態で、止め部材１６の結合片２２を通過孔２４に通過させる。このとき、板硝子１４と止め部材１８との間にバックアップ材１８を挟み込む。またこの際、止め部材１６の引掛け片２８の上端は、上框４０の掛止部３０の下端よりも下側に位置している。
【００１９】
上記の状態で、止め部材１６を、上框４０の上端の端面４０ｂに、結合片２２が接触するまで、上方向に移動させる。このように移動させると、止め部材１６の引掛け片２８は、上框４０の掛止部３０に掛止され、これにより板硝子１４が扉本体１２の後に向けて動作しないようになる。
【００２０】
最後に止め部材１６の結合片を、上框４０の上端の端面４０ｂからねじ２６で固定する。
【００２１】
止め部材１６が、扉本体１２の端面４０ｂにおいて、扉本体１２に対して固定されていることにより、扉本体１２の前後や、板硝子１４が位置する内面側に固定用のねじ２６の頭部が露出することを防止でき、防火扉１０全体のデザインの制約がなくなり、意匠性が向上する。
【００２２】
また、止め部材１６が、扉本体１２の上面などの端面に対して垂直方向に動作させられ、扉本体１２の掛止部３０に掛止させられていることにより、ねじ２６の固定が端面４０ｂであっても、確実に板硝子１４を扉本体１２に固定することができる。また、止め部材１６の形状を上下に大きくすることができるので、上框４０と止め部材１６とのひずみが同程度となり、板硝子１４が扉本体１２から脱落することを防止できる。
【００２３】
板硝子１４を、上框４０で止め部材により固定することにより、ねじ２６の固定箇所が防火扉１０の上端、すなわち防火扉１０の使用者が通常視認できない部分に位置するようになるため、ねじ２６による防火扉１０のデザインの制約がなくなり、この点で意匠性が向上する。また、下框４２で固定する場合は、ねじ２６の固定箇所が防火扉１０の下端となり、同様に防火扉１０の使用者が通常視認できない部分に位置するようになるものの、床とのスキマが少なく、ねじを回す作業ができない。よって上框４０で止め部材１６により固定することにより、板硝子１４の固定、取り外し作業が容易になり、組立作業の負荷を低減できる。
【００２４】
框には、止め部材１６の結合片２２を通過させる通過孔２４が設けられ、結合片２２は、止め部材１６が固定されている端面の外側からねじ２６により固定されていることにより、結合片２２が框の中に収容され、框の端面に結合片が露出しないので、止め部材２６の取り外しのためねじを外したときでも、扉本体１２部分の塗料が剥げることがない。
【００２５】
止め部材１６には、扉本体１２の掛止部３０に掛止される引掛け片２８が設けられていることにより、引掛け片２８で掛止するシンプルな構成で止め部材２８を固定することができ、止め部材１６の組立や取り外し作業が容易になる。
【００２６】
掛止部３０は框用鋼板を折り曲げることにより構成され、引掛け片２８は止め部材用鋼板を折り曲げることにより構成されていることにより、別途掛止部３０や引掛け片２８を組み付ける必要がなくなり、防火扉１０のコストを削減できる。
【００２７】
図５には、本発明の第２実施形態に係る防火扉１０の側面断面図を示す。図５（Ａ）は、止め部材１６を上框４０に組み付けた状態の側面図であり、図５（Ｂ）は、止め部材１６を上框４０から取り外した状態の側面図である。第１実施形態の防火扉１０との相違点は、上框４０、および止め部材１６の形状であり、この形状の違いにより、止め部材１６の組立時に止め部材１６を下方向へ動作させて、板硝子１４を扉本体１２に対して固定する。第２実施形態から第６実施形態の防火扉１０は、止め部材１６を下方向に動作させて、止め部材１６を固定位置に位置させる。
【００２８】
止め部材１６を下方向へ動作させて固定するとは、止め部材１６の引掛け片２８の下端が、上框４０の掛止部３０の上端と掛止するように、止め部材１６を下方向に動作させることを意味する。この際、止め部材１６の結合片２２は、上框４０の上端の側面４０ｂに接触させる。そして、ねじ２６により止め部材１６を上框４０に固定する。なお、止め部材１６を上方向へ動作させて固定する場合、上框４０の側面全体を一体とした平面として仕上げるためには、結合片２２を一度下方向に折曲げたうえで、再度上方向へ折り曲げることが必要となるが、止め部材を下方向へ動作させて固定する場合、結合片２２は止め部材１６の最上部で端面側に折り曲げるだけで足りる。このように、止め部材と上框との結合片は、より少ない折り曲げ工程で製作できるシンプルな構成になるので、低コストでの生産が可能となる。
【００２９】
図６には、本発明の第３実施形態に係る防火扉１０の側面断面図を示す。図６（Ａ）は、止め部材１６を上框４０に組み付けた状態の側面図であり、図６（Ｂ）は、止め部材１６を上框４０から取り外した状態の側面図である。第２実施形態の防火扉１０との相違点は、上框４０の形状である。上框４０の掛止部３０の上端部に、溝の幅と同じ長さの延長部３０ａが設けられている。この延長部３０ａにより、溝の幅を保持することが容易になる。
【００３０】
図７には本発明の第４実施形態に係る防火扉１０の側面断面図を、図８には、第４実施形態に係る防火扉１０の組立説明図を示す。第２実施形態の防火扉１０との相違点は、上框４０、および止め部材１６の形状である。上框４０には、掛止部３０として２つの凸部が水平方向に設けられている。この凸部は、基部よりも、先端部が上框４０の長手方向に長い。また、止め部材１６の引掛け片２８には、引掛け用孔２８ａが設けられている。この引掛け用孔２８は、上側よりも、下側が止め部材１６の長手方向に長い。そして引掛け用孔２８の下側は、上框４０の凸部の先端部が通過できる大きさであり、引掛け用孔２８の上側は、上框４０の凸部の基部が通過できる大きさである。
【００３１】
板硝子１４との間にバックアップ材１８を挟みながら、上框４０の掛止部３０である凸部が、止め部材１６の引掛け片２８にある引掛け用孔２８ａに入るように、止め部材１６が上框４０に押し付けられる。この状態で、止め部材１６を下方向に動作させ、止め部材１６の結合片２２を、上框４０の上端の端面４０ｂに接触させる。そして、ねじ２６により止め部材１６を上框４０に固定する。なお、本実施形態では、掛止部３０として２つの凸部が設けられているが、特にこれに限定されるものではなく、１つである場合も有り、３以上の凸部を設けることも可能である。
【００３２】
図９には、本発明の第５実施形態に係る防火扉１０の側面断面図を示す。第２実施形態との相違点は、上框４０、および止め部材１６の形状である。本実施形態では、上框４０の掛止部３０は、溝を形成するための延長部３０ａの端部に、上方向に立ち上がるように設けられている。また、止め部材１６の引掛り片２８は、逆Ｕ字形に折曲げられている。本実施形態では、止め部材１６の引掛り片２８が、上框４０の掛止部３０にはまり込んで掛止されるように、止め部材１６は上方向から動作させられる。そして、止め部材１６の結合片２２を、上框４０の上端の端面４０ｂに接触させ、ねじ２６により止め部材１６を上框４０に固定する。
【００３３】
図１０には、本発明の第６実施形態に係る防火扉の組立説明図を示す。第２実施形態との相違点は、上框４０、および止め部材１６の形状である。本実施形態では、上框４０には、掛止部３０として３つの凸部が上方向に向けて設けられている。また止め部材１６の引掛け片２８には、引掛け用孔２８ａが設けられている。本実施形態の組立方法を説明する。板硝子１４との間にバックアップ材１８を挟みながら、上框４０の掛止部３０である凸部が、止め部材１６の引掛け片２８にある引掛け用孔２８ａに入るように、止め部材１６を下方向に動作させる。このとき、止め部材１６の結合片２２は、上框４０の上端の端面４０ｂに接触するので、ねじ２６により止め部材１６を上框４０に固定する。なお、本実施形態では、掛止部３０として３つの凸部が上方向に向けて設けられているが、特にこれに限定されるものではなく、１つや２つであっても４つ以上であっても問題ない。
【符号の説明】
【００３４】
１０  防火扉
１２  扉本体
１４  板硝子
１６  止め部材
２２  結合片
２４  通過孔
２６  ねじ
２８  引掛け片
３０  掛止部
４０  上框
４０ｂ  上端面
【図１】
2018066149.tif 000003
【図２】
2018066149.tif 000004
【図３】
2018066149.tif 000005
【図４】
2018066149.tif 000006
【図５】
2018066149.tif 000007
【図６】
2018066149.tif 000008
【図７】
2018066149.tif 000009
【図８】
2018066149.tif 000010
【図９】
2018066149.tif 000011
【図１０】
2018066149.tif 000012
【図１１】
2018066149.tif 000013
【手続補正書】
【提出日】平成29年1月12日(2017.1.12)
【手続補正１】
【補正対象書類名】特許請求の範囲
【補正対象項目名】全文
【補正方法】変更
【補正の内容】
【特許請求の範囲】
【請求項１】
鉄製の扉本体と、該扉本体に嵌めこまれた板硝子と、を含んで構成されている防火扉であって、
前記板硝子は、該板硝子を囲む上下左右の４つの框のうちの一の框と、該一の框と対になる止め部材とにより、前記扉本体に固定されているとともに、
前記板硝子の端部は、前記一の框が有する堤形状部と、前記止め部材が有する堤形状部と、からなる溝の内側で保持されており、
前記止め部材は、前記一の框が上框である場合は、上端の上側を向いた端面、
前記一の框が右框である場合は右端の右側を向いた端面、
前記一の框が左框である場合は左端の左側を向いた端面、
前記一の框が下框である場合は下端の下側を向いた端面において、
前記扉本体に対して固定されているとともに、
前記止め部材は、該止め部材が固定されている前記端面に対して垂直方向に動作させられることにより、前記板硝子が前記扉本体の前後に動作しないように、前記扉本体の掛止部に掛止されている、
ことを特徴とする防火扉。
【請求項２】
前記一の框は、上框であり、
前記止め部材は、前記扉本体の上端の端面において、前記扉本体に対して固定されるとともに、
前記止め部材は、上方向に動作させられることにより、前記板硝子が前記扉本体の前後に動作しないように、前記扉本体の掛止部に掛止されている、
ことを特徴とする請求項１記載の防火扉。
【請求項３】
前記一の框は、上框であり、
前記止め部材は、前記扉本体の上端の端面において、前記扉本体に対して固定されるとともに、
前記止め部材は、下方向に動作させられることにより、前記板硝子が前記扉本体の前後に動作しないように、前記扉本体の掛止部に掛止されている、
ことを特徴とする請求項１記載の防火扉。
【請求項４】
前記一の框には、前記止め部材の結合片を通過させる通過孔が設けられており、
該結合片は、前記止め部材が固定されている端面でねじにより固定されている、
ことを特徴とする請求項１または請求項２記載の防火扉。
【請求項５】
前記止め部材には、前記扉本体の掛止部に掛止される引掛け片が設けられている、
ことを特徴とする請求項１から請求項４のいずれかに記載の防火扉。
【請求項６】
前記框は、折曲げられた框用鋼板により形成されるとともに、
前記掛止部は、前記框用鋼板を折り曲げることにより形成され、
前記止め部材は、折曲げられた止め部材用鋼板により形成されるとともに、
前記引掛け片は、前記止め部材用鋼板を折り曲げることにより形成されている、
ことを特徴とする請求項５記載の防火扉。
【手続補正２】
【補正対象書類名】明細書
【補正対象項目名】０００７
【補正方法】変更
【補正の内容】
【０００７】
第１発明の防火扉は、鉄製の扉本体と、該扉本体に嵌めこまれた板硝子と、を含んで構成されている防火扉であって、前記板硝子は、該板硝子を囲む上下左右の４つの框のうちの一の框と、該一の框と対になる止め部材とにより、前記扉本体に固定されているとともに、前記板硝子の端部は、前記一の框が有する堤形状部と、前記止め部材が有する堤形状部と、からなる溝の内側で保持されており、前記止め部材は、前記一の框が上框である場合は、上端の上側を向いた端面、前記一の框が右框である場合は右端の右側を向いた端面、前記一の框が左框である場合は左端の左側を向いた端面、前記一の框が下框である場合は下端の下側を向いた端面において、前記扉本体に対して固定されているとともに、前記止め部材は、該止め部材が固定されている前記端面に対して垂直方向に動作させられることにより、前記板硝子が前記扉本体の前後に動作しないように、前記扉本体の掛止部に掛止されていることを特徴とする。
第２発明の防火扉は、第１発明において、前記一の框は、上框であり、前記止め部材は、前記扉本体の上端の端面において、前記扉本体に対して固定されるとともに、前記止め部材は、上方向に動作させられることにより、前記板硝子が前記扉本体の前後に動作しないように、前記扉本体の掛止部に掛止されていることを特徴とする。
第３発明の防火扉は、第１発明において、前記一の框は、上框であり、前記止め部材は、前記扉本体の上端の端面において、前記扉本体に対して固定されるとともに、前記止め部材は、下方向に動作させられることにより、前記板硝子が前記扉本体の前後に動作しないように、前記扉本体の掛止部に掛止されていることを特徴とする。
第４発明の防火扉は、第１発明または第２発明において、前記一の框には、前記止め部材の結合片を通過させる通過孔が設けられており、該結合片は、前記止め部材が固定されている端面でねじにより固定されていることを特徴とする。
第５発明の防火扉は、第１発明から第４発明のいずれかにおいて、前記止め部材には、前記扉本体の掛止部に掛止される引掛け片が設けられていることを特徴とする。
第６発明の防火扉は、第５発明において、前記框は、折曲げられた框用鋼板により形成されるとともに、前記掛止部は、前記框用鋼板を折り曲げることにより形成され、前記止め部材は、折曲げられた止め部材用鋼板により形成されるとともに、前記引掛け片は、前記止め部材用鋼板を折り曲げることにより形成されていることを特徴とする。